(57)【特許請求の範囲】
【請求項１】
点滴チューブの中間に配置されて輸液を所定の時間間隔で滴下させる点滴筒の外壁に装着されるものであって、
点滴筒内を滴下する輸液に点滴筒の外壁側面からマイクロ波を照射する送波機と、
このマイクロ波の反射波を受信する受波機と、
受信された反射波から、マイクロ波のドップラー効果による周波数変位の発生を検出して、その検出信号により輸液の滴下回数をカウントするためのカウント信号を生成する検出装置と、
上記送波機と受波機のアンテナを点滴筒の内部に向けてその外壁側面に位置決めするためのものであって、点滴筒を挟むように配置されるホルダを備え
前記マイクロ波は前記点滴筒の縦方向にビームが広がり、かつ、点滴筒の幅いっぱいにビームが広げられ、
前記送波器と受波器とは基板上に一体に搭載されて、点滴筒の一方の側面に配置されていることを特徴とする点滴監視装置。
【請求項２】
前記ホルダにより弾力を利用して点滴筒を挟んで装着する装着機構を備えたことを特徴とする請求項１に記載の点滴監視装置。
【発明の詳細な説明】
【技術分野】
【０００１】
本発明は、点滴装置の輸液が正常に供給されているかどうかを検出するために使用される、点滴監視装置に関する。
【背景技術】
【０００２】
輸液バッグに繋がれた点滴筒の内部では輸液がほぼ一定の時間間隔で滴下する。従来はこれを光学的に検出して適切に輸液が供給されているかどうかを検出するようにしていた（特許文献１）（特許文献２）（特許文献３）。即ち、輸液が滴下されるときに光ビームを遮ると受光装置がこれを検出する。これにより、輸液が滞りなく滴下しているかどうかを判断する。輸液が検出されなくなったときには警報を発する。
【先行技術文献】
【特許文献】
【０００３】
【特許文献１】特開２０００−２７９５１５号公報
【特許文献２】特開２０１２−２４５２８号公報
【特許文献３】特開２０１２−１２５４５０号公報
【発明の概要】
【発明が解決しようとする課題】
【０００４】
従来の技術には、次のような解決すべき課題があった。上記のような装置では、滴下される輸液の落下コース上に光ビームを正確に照射するようにしないと、輸液の誤検出が生じていた。例えば、点滴筒が外力を受けて傾斜したり揺れたりした場合には、輸液の落下コースが微妙に位置ずれする。この場合に光ビームを遮ることなく輸液が落下するので、誤検出を生じる。しかし、受光器の受光面以上に光ビームを広げることはできない。また、点滴筒が半透明であったり輸液が光をよく通す素材であった場合にも誤検出を生じる恐れがあった。本発明は以上の課題を解決するためになされたものである。
【課題を解決するための手段】
【０００５】
以下の構成はそれぞれ上記の課題を解決するための手段である。
【０００６】
＜構成１＞
点滴チューブの中間に配置されて輸液を所定の時間間隔で滴下させる点滴筒の外壁に装着されるものであって、
点滴筒内を滴下する輸液に点滴筒の外壁側面からマイクロ波を照射する送波機と、
このマイクロ波の反射波を受信する受波機と、
受信された反射波から、マイクロ波のドップラー効果による周波数変位の発生を検出して、その検出信号により輸液の滴下回数をカウントするためのカウント信号を生成する検出装置と、
上記送波機と受波機のアンテナを点滴筒の内部に向けてその外壁側面に位置決めするためのものであって、点滴筒を挟むように配置されるホルダを備え
前記マイクロ波は前記点滴筒の縦方向にビームが広がり、かつ、点滴筒の幅いっぱいにビームが広げられ、
前記送波器と受波器とは基板上に一体に搭載されて、点滴筒の一方の側面に配置されていることを特徴とする点滴監視装置。
【０００７】
＜構成２＞
上記カウント信号を、点滴を遠隔監視するための解析装置に送信する送信機を備えたことを特徴とする構成１に記載の点滴監視装置。
【０００８】
＜構成３＞
上記カウント信号を受け入れて輸液の滴下回数をカウントして、点滴総量を算出する計数装置を備えたことを特徴とする構成１に記載の点滴監視装置。
【０００９】
＜構成４＞
上記送波機と受波機のアンテナを点滴筒の内部に向けてその外壁に位置決めするホルダと、点滴筒の外壁を取り囲むように配置される電磁遮蔽体とを備えたことを特徴とする構成１または３に記載の点滴監視装置。
【００１０】
＜構成５＞
電磁遮蔽体製のホルダにより弾力を利用して点滴筒を挟んで装着する装着機構を備えたことを特徴とする構成４に記載の点滴監視装置。
【００１１】
＜構成６＞
構成２に記載の点滴監視装置から上記カウント信号を受信して輸液の滴下回数をカウントして、点滴総量を算出する計数手段と、
カウント開始からカウント終了までの経過をタイムスタンプを付加して記録する記録手段と、
点滴総量と経過記録を表示装置に表示する表示制御手段とを備えた解析装置。
【００１２】
＜構成７＞
輸液の適正な滴下時間間隔と、検出された輸液の滴下時間間隔とを比較して、滴下時間間隔の異常判定をする判定手段と、
異常判定がされた時にアラームを発生させる警報手段とを備えた構成６に記載の解析装置。
【００１３】
＜構成８＞
輸液バッグのいずれかの場所に表示された、医療情報を読み取る読み取り装置と、
表示装置に点滴の注意事項を含む医療情報を表示させる表示制御手段とを備えた構成６または７に記載の解析装置。
【００１４】
＜構成９＞
携帯端末装置のコンピュータを、構成６、７または８に記載の解析装置として機能させるコンピュータプログラム。
【００１５】
＜構成１０＞
構成９に記載のコンピュータプログラムを記録したコンピュータで読み取り可能な記録媒体。
【発明の効果】
【００１６】
マイクロ波は点滴筒の幅いっぱいにビームを広げることができるので、送受信装置の位置設定が容易になる。電波を通すことができれば点滴筒の材質に影響されない。不透明なものでも構わない。輸液が透明なものでも不透明なものでも検出できる。長時間継続的に監視をすれば、タイムスタンプとともにログデータを取得できる。スマートフォンのバーコード読み取り機能等を使用すれば、輸液バッグの点滴の注意事項を含む医療情報を読み取って表示できる。
【図面の簡単な説明】
【００１７】
【図１】本発明の点滴監視装置の実施例を示し（ａ）は輸液バッグ等を含む外観正面図（ｂ）は外観斜視図（ｃ）は上面図（ｄ）は縦断面図である。
【図２】点滴監視装置１２の内部に設けられた回路のブロック図である。
【図３】解析装置４０のブロック図である。
【図４】上記の解析装置４０の動作プログラム例フローチャートである。
【発明を実施するための形態】
【００１８】
以下、本発明の実施の形態を実施例毎に詳細に説明する。
【実施例１】
【００１９】
図１は本発明の点滴監視装置の実施例を示し、（ａ）は輸液バッグ７８と点滴チューブ１４と点滴筒１８の外観を示す正面図、（ｂ）は点滴監視装置１２の外観斜視図、（ｃ）は点滴監視装置１２を点滴筒１８に装着した状態の上面図、（ｄ）は点滴監視装置１２を装着した点滴筒１８の縦断面図である。
【００２０】
（検出機構）
図１（ａ）に示すように、輸液バッグ７８には、予め計量された輸液１６が収容されており、点滴チューブ１４を通じてその輸液が点滴筒１８に供給される。点滴筒１８は点滴チューブ１４の中間に配置され、輸液が滴下される状態を目視できるようになっている。
【００２１】
点滴筒１８の内部には、輸液を所定の時間間隔で定量ずつ滴下させる仕組みが設けられている。この仕組みはよく知られているので説明を省略する。本発明の点滴監視装置１２は、図１（ａ）に示す破線で示した場所に、点滴筒１８の外壁２０を掴むように装着される。
【００２２】
点滴監視装置１２は、図１（ｂ）に示すように、弾力を利用して点滴筒１８を挟むホルダ４８により支持される。ホルダ４８の一端を収容した装着機構５２の内部には、ホルダ４８に弾力を与える図示しないばねや軸受などが組み込まれている。さらに装着機構５２の内部には、図２で詳細を説明する送波機２６と受波機２８とが組み込まれている。
【００２３】
図１（ｃ）に示すように、送波機２６と受波機２８は、図示しないマイクロ波送受信用のアンテナを点滴筒１８の内部に向けるように位置決めされている。ホルダ４８は、点滴筒１８の外壁２０の全周を取り囲むように配置される。例えばこの実施例では、このホルダ４８は、全体がアルミニウムなどのマイクロ波を反射する電磁遮蔽体によって構成されている。
【００２４】
この発明では点滴筒１８の内部を落下する輸液の検出にマイクロ波２４のビームを使用する。図１（ｃ）に示すように、点滴筒１８内に送波機２６からマイクロ波２４のビームを照射すると滴下される輸液２２の表面でマイクロ波２４が反射する。この反射波３０を受波機２８により受信すると、ドップラー効果により送信した信号と受信した信号との間に位相差を生じるので、これを検出する。
【００２５】
この送波機２６や受波機２８は、例えば既知のモノリシックマイクロ波集積回路により構成することができる。これには、歩行者検知のために自動車に組み込まれる安全装置等に広く使用されているものを利用できる。マイクロ波２４の周波数は１ＧＨｚから４０ＧＨｚ程度の範囲のどの波長を選択しても構わない。
【００２６】
図１（ｃ）に示すように、マイクロ波２４は点滴筒１８の幅いっぱいにビームを広げることができる。また、（ｄ）に示すように縦方向のビーム広がりによって確実に滴下する輸液２２をとらえることができる。点滴筒１８のどの場所を滴下する輸液２２が通過しても間違いなくこれを検出することができる。
【００２７】
検出感度が非常に良いので、点滴筒１８の周辺にある様々な部材からの反射波を受信してしまい、これがノイズになる恐れがある。上記のホルダ４８がこのノイズを遮蔽するので、安定した性能が発揮できる。この場合にマイクロ波が照射される部分は、図の実施例のようにできるだけ隙間の無い平坦な構造にしておくことが望ましい。
【００２８】
点滴筒１８の外壁２０が電波を通すことができる材質であれば、不透明なものでもあっても構わない。輸液が透明なものでも不透明なものでも確実に滴下する輸液２２を検出することができる。
【００２９】
また、光学的な検知装置と比較した場合に、送受信装置の位置設定が極めて容易になるという効果もある。送受信装置を点滴筒１８の一方の側にのみ配置することができるから。全体構造も簡単になる。即ち、送波機２６や受波機２８を平坦な基板上に一体に搭載することができるから、点滴筒１８の両側を挟むように配置して光源や受光装置を設けるような光検出装置３８と比べて構造を簡単にすることができる。
【００３０】
本発明の装置は、上記のように、輸液の滴下検出精度と信頼性が十分に高いので誤検出の恐れが極めて小さく、長時間継続的に監視を続けて、点滴総量を算出することも可能になる。本発明の装置は小型軽量なため、従来より汎用的に使用されているどの点滴チューブ１４にも、簡単に取り付けることができる。
【００３１】
（内部回路）
図２は点滴監視装置１２の内部に設けられた回路のブロック図である。この内部回路には、送波機２６と受波機２８と検出装置３８と送信機４２とが設けられている。送波機２６と受波機２８は上記のように動作して、受波機２８が受信した信号が検出装置３８に入力する。検出装置３８は、受信された反射波３０から、マイクロ波２４のドップラー効果による周波数変位の発生を検出して、その検出信号からカウント信号３６を生成する。
【００３２】
即ち、周波数偏移の発生を検出するたびに１個のカウント信号３６を生成する。このカウント信号３６を送信機４２が、点滴を遠隔監視するための解析装置４０（図３）に対して送信する。送信機４２と解析装置４０とは例えば Bluetooth(登録商標) による近接通信で通信をする。
【００３３】
（解析装置４０）
図３は、解析装置４０のブロック図である。
この実施例では解析装置４０をスマートフォンにより実現する。解析装置４０の機能はスマートフォンのコンピューターにより制御する。スマートフォンのディスプレイは表示装置６２として機能する。図３に示した機能ブロックは、スマートフォンのハードウエアと演算処理装置３２と記憶装置３３とを示す。
【００３４】
この解析装置４０（スマートフォン）は、受信機４３と計数装置４６と計算手段５４と記録手段５８と表示制御手段６４と判定手段７０と警報手段７６とを備えている。その記憶装置３３には、カウント信号３６と滴下回数３４と点滴総量４４と輸液の滴下時間間隔６８と適正滴下時間間隔６６と医療情報８０とが記憶される。
【００３５】
さらに、この実施例では、表示装置６２に、点滴総量４４と輸液の滴下時間間隔６８と医療情報８０とが表示されるように構成されている。
【００３６】
計数装置４６は、受信機４３が受信したカウント信号３６を受け入れて、輸液の滴下回数３４をカウントし、計算手段５４を制御して点滴総量４４を算出する機能を持つ。計算手段５４は、一滴分の液量と滴下回数３４とから点滴総量４４を算出する。計算に使用したデータは記憶装置３３にその都度記憶される。さらに計算手段５４は計数装置４６が滴下回数３４をカウントしたときに、輸液の滴下時間間隔６８を算出する。記録手段５８は、カウント開始からカウント終了までの経過をタイムスタンプ５６とともに記録する機能を持つ。表示制御手段６４は、点滴総量４４と滴下時間間隔６８を表示装置６２に表示する機能を持つ。
【００３７】
判定手段７０は、輸液の滴下時間間隔６８と予め記憶装置３３に記憶された適正滴下時間間隔６６を比較してその適否を判定する機能を持つ。輸液の滴下時間間隔６８が異常に長くなったような場合には、判定手段７０が警報手段７６を起動して例えば警報音を発したり、表示装置６２に警報メッセージを表示する。これによって点滴の常時監視が可能になる。
【００３８】
解析装置４０の機能全てを点滴監視装置１２に組み込むこともできるが、複数の点滴監視装置１２からデータを受信して１台の解析装置４０（スマートフォンやパーソナルコンピュータ等）で監視できれば、まとめて遠隔監視が可能になる。タブレットやパーソナルコンピュータであればさらに多くのデータを表示装置６２に表示できる。また、ベッドサイドモニタにも表示して確認作業を容易にすることができる。点滴監視装置１２と解析装置４０の通信を、ネットワーク上のサーバに構築するクラウドシステムを介して行えば、遠隔地の任意の端末装置で点滴の経過を監視することができる。さらに、解析装置４０の機能自体をサーバに付与するクラウドシステムを採用することもできる。
【００３９】
この他に、スマートフォンのバーコード読み取り機能を使用して、図１に示した輸液バッグ７８に表示されたバーコード８２等を読み取り、スマートフォンのディスプレイにその内容を表示すれば、その患者に使用されている治療薬の内容や点滴の注意事項を含む医療情報８０を合わせて表示することができる。
【００４０】
スマートフォンのディスプレイには、点滴の開始から終了までの様々な正確な監視記録を表示させることができる。上記の医療情報８０には、その点滴の担当者、患者ID、点滴の種類、点滴の量、総時間予測、総時間結果、開始時間等も含まれており、これらをスマートフォンのディスプレイ等に併せて表示して、点滴作業を確実にサポートすることができる。
【実施例２】
【００４１】
（コンピュータプログラム）
図４は、上記の解析装置４０の動作プログラム例フローチャートである。
点滴を開始する前に、その患者の点滴の注意事項を含む医療情報を確認する。そのために、まず、ステップＳ１１とステップＳ１２で、スマートフォンのバーコード読取り機能を利用して、輸液バッグ７８に表示されたバーコード８２を読み取る。ステップＳ１２では、その読み取り情報を表示装置６２に表示する。
【００４２】
ここで、点滴を開始し、同時に点滴監視装置１２を起動する。ステップＳ１３では、点滴監視装置１２から解析装置４０の受信機４３がカウント信号を受信する。ステップＳ１４では、そのカウント信号３６に記録手段５８がタイムスタンプを付加する。ステップＳ１５では、計数装置４６が、カウント信号３６を受信するたびにカウントアップをする。
【００４３】
ステップＳ１６では、計数手段５４が点滴総量計算をする。ステップＳ１７では、表示制御手段６４が計算結果を受け入れて表示装置６２に点滴総量４４の表示をする。ステップＳ１８では、計数手段５４が滴下時間間隔６８の計算をする。例えば、複数回のカウント信号３６の受信間隔の平均値を算出するといった処理をするとよい。
【００４４】
ステップＳ１９では、判定手段７０が、適正滴下時間間隔６６と輸液の滴下時間間隔６８とを比較判定する。そして、輸液の滴下時間間隔６８が異常値と判定された時には、ステップＳ２０からステップＳ２１に進み、ステップＳ２１でアラーム表示をする。正常値の場合にはステップＳ２０からステップＳ１３に戻り、点滴的終了まで、これらの処理をりかえす。
【００４５】
以上が解析装置４０の処理の一例であるが、解析装置４０はさらに様々なデータを表示して、点滴が正常に進むようにサポートをすることが出来る。
【符号の説明】
【００４６】
１２  点滴監視装置
１４  点滴チューブ
１６  計量された輸液
１８  点滴筒
２０  外壁
２２  滴下する輸液
２４  マイクロ波
２６  送波機
２８  受波機
３０  反射波
３２  演算処理装置
３３  記憶装置
３４  滴下回数
３６  カウント信号
３８  検出装置
４０  解析装置
４２  送信機
４３  受信機
４４  点滴総量
４６  計数装置
４８  ホルダ
５２  装着機構
５４  計算手段
５６  タイムスタンプ
５８  記録手段
６２  表示装置
６４  表示制御手段
６６  適正滴下時間間隔
６８  輸液の滴下時間間隔
７０  判定手段
７６  警報手段
７８  輸液バッグ
８０  医療情報
８２  バーコード
【要約】      （修正有）【課題】点滴のスピードと、点滴開始から終了までの時間と、点滴量などを自動測定する点滴監視装置を提供する。【解決手段】点滴チューブ１４の中間に配置されて輸液を所定の時間間隔で滴下させる点滴筒１８の外壁２０に装着する。送波機２６は点滴筒１８内を滴下する輸液２２にマイクロ波２４を照射する。受波機２８はこのマイクロ波２４の反射波３０を受信する。検出装置は、受信された反射波３０から、マイクロ波２４のドップラー効果による周波数変位の発生を検出して、その検出信号により輸液の滴下回数をカウントするためのカウント信号を生成する。輸液の滴下検出精度と信頼性が十分に高いので、長時間継続してログデータを取得することができる。【選択図】図１【図１】
0006901162.tif 000002
【図２】
0006901162.tif 000003
【図３】
0006901162.tif 000004
【図４】
0006901162.tif 000005